(57)【要約】【課題】コークス炉の装炭レベル測定装置において、石炭投入シュートのスリーブとコークス炉との離間距離に関係なく設置でき、反射板の移動手段も不要であり、更にはコークス炉からの粉塵や熱の影響を防ぐ。【解決手段】装炭車内において、石炭投入シュートの中心軸よりも給炭装置とは反対側にて、ミリ波またはマイクロ波の送受信を行うとともに、給炭装置からの給炭量を少なくして、石炭投入シュートの中心軸よりも給炭装置とは反対側に石炭が落下しない領域、または落下量が少ない領域を形成し、この領域を通じて送受信を行って装炭レベルを測定する。【選択図】図５
2019104922.tif 000002
【特許請求の範囲】
【請求項１】
装炭車の受炭ホッパーから給炭装置により石炭投入シュートに送られ、前記石炭投入シュートを通じてコークス炉内に供給された石炭の表面に、ミリ波またはマイクロ波を送信し、石炭の表面で反射されたミリ波またはマイクロ波の反射波を受信して装炭レベルを測定するために、装炭車の内部に設置される装置であって、
前記石炭投入シュートの中心軸よりも前記給炭装置とは反対側の位置にて、ミリ波又はマイクロ波による送受信を行うとともに、
前記給炭装置からの給炭量を少なくして、前記石炭投入シュートの中心軸よりも該給炭装置とは反対側に前記石炭が落下しない領域、または落下量が少ない領域を形成し、前記領域を通じて前記送受信を行って装炭レベルを測定する
ことを特徴とするコークス炉の装炭レベル測定装置。
【請求項２】
前記給炭装置からの給炭量を装炭作業の後半で少なくし、装炭作業の後半から終了までの期間内に装炭レベルを測定する
ことを特徴とする請求項１記載のコークス炉の装炭レベル測定装置。
【請求項３】
前記石炭投入シュートの天井面の、該石炭投入シュートの中心軸よりも前記給炭装置とは反対側に開口を設けるとともに、
前記開口と、ミリ波またはマイクロ波の送受信手段とをガイドパイプで連結した
ことを特徴とする請求項１または２記載のコークス炉の装炭レベル測定装置。
【請求項４】
少なくとも測定時に前記ガイドパイプ内にパージ用ガスを供給することを特徴とする請求項３記載のコークス炉の装炭レベル測定装置。
【請求項５】
前記石炭投入シュートの前記開口を塞いで防塵・防熱フィルタが取り付けられており、前記防塵・防熱フィルタに前記ガイドパイプが連結されるとともに、
前記防塵・防熱フィルタが、前記石炭投入シュート側から順に、ミリ波またはマイクロ波を透過する耐熱材料からなる通気性のフィルタと、ミリ波またはマイクロ波を透過する耐熱材料からなる非通気性の断熱板とを離間させて配置して枠体で包囲してなり、前記フィルタと前記断熱板との間の空間にパージ用ガスが供給されることを特徴とする請求項４記載のコークス炉の装炭レベル測定装置。
【請求項６】
前記ガイドパイプが、Ｌ字管で、その９０°屈曲部に第１の反射板を備えており、
一端に前記送受信手段のアンテナを収容し、
他端に前記第１の反射板の反射面及び前記石炭投入シュートの前記開口の両方と対向する第２の反射板を備えることを特徴とする請求項３〜５の何れか１項に記載のコークス炉の装炭レベル測定装置。
【請求項７】
前記防塵・防熱フィルタのフィルタが、ミリ波またはマイクロ波を透過する耐熱材料からなる繊維を平面状に織って通気性を持たせた面状織物フィルタ、または前記繊維を袋状に加工した通気性を持たせた袋状織物フィルタであることを特徴とする請求項５記載のコークス炉の装炭レベル測定装置。
【請求項８】
ミリ波またはマイクロ波の回転波を使用することを特徴とする請求項１〜７の何れか１項に記載のコークス炉の装炭レベル測定装置。
【請求項９】
装炭レベルを装炭中に測定し、最適レベルに達した時に装炭を停止する信号を出力することを特徴とする請求項１〜８の何れか１項に記載のコークス炉の装炭レベル測定装置。
【発明の詳細な説明】
【技術分野】
【０００１】
本発明は、装炭車からコークス炉の装炭口を通じて投入された石炭の表面にミリ波またはマイクロ波を送信し、石炭の表面で反射されたミリ波またはマイクロ波を受信して装炭レベルを測定する装置に関する。
【背景技術】
【０００２】
コークス炉では、上面に複数の装炭口が設けられており、石炭を積んだ装炭車を移動させながら石炭を装炭口から順次投入している。その際、コークス炉内に投入された石炭の装炭レベルを測定し、できるだけ多く装炭して生産性を上げることが求められている。
【０００３】
そこで、本出願人は先に、特許文献１において、図７に示すような測定装置を提案している。同図において、装炭車１は、受炭ホッパー１０の石炭Ｃを、給炭装置１２により石炭投入シュート１１に送るための装置であり、コークス炉１００の上面に固定されたレール１０１に沿って、例えば図示されるように紙面の前後方向に移動する。そして、装炭車１は、石炭投入シュート１１が、コークス炉１００の装炭口１０２の直上に至ったときに停車し、石炭Ｃを炉内に投下する。石炭投入シュート１１の下方端部には、下端が内方に狭窄してコークス炉１００の装炭口１０２の口径に合わせたスリーブ１３が外装されており、石炭Ｃがこのスリーブ１３を通じて装炭口１０２に確実に投下されるようになっている。
【０００４】
装炭車１の上面１ａにはマイクロ波の送受信手段２０が設置され、床面１ｂの下方にはアンテナ２２が配置されており、送受信手段２０とアンテナ２２とが導波管２１により接続されている。送受信手段２０には、マイクロ波の送受信や、装炭レベルの算出等の演算を行うコントローラ２４が接続している。このように送受信手段２０やコントローラ２４をコークス炉１００から離して配置することにより、断熱構造を用いなくても、熱による誤作動を防ぐことができる。
【０００５】
また、アンテナ２２と対向して反射板２３が配置されており、反射板２３に向かって延出するガイドパイプ２６が付設されている。反射板２３の反射面２３ａは、アンテナ２２の反射面の軸線Ａに対して４５°の角度で装炭口側に傾斜しており、アンテナ２２から送信されたマイクロ波が、反射板２３の反射面２３ａで反射され、装炭口１０２を通じてコークス炉１００の内部に送られ、更に石炭Ｃ´の表面で反射される（図中Ｍ）。そして、この反射マイクロ波が反射板２３に戻り、反射面２３ａで反射されてアンテナ２２で受信される。
【０００６】
更に、反射板２３には反射板移動手段（図示せず）が接続しており、測定時に反射板２３を装炭口１０２の直上に移動し、石炭投入時に装炭口１０２の直上から離れるように移動させる。
【０００７】
ここで、マイクロ波として電界が時計回り又は反時計回りの一方向に回転する回転波を用いることにより、装炭口１０２の壁面１０２ａによる反射波（Ｍ´）を受信しないようにできるため、より正確な測定が可能になる。
【０００８】
このような装置構成により、熱の影響を無くして装炭レベルを正確に測定することができる。
【先行技術文献】
【特許文献】
【０００９】
【特許文献１】特開２０１２−１８８５８９号公報
【発明の概要】
【発明が解決しようとする課題】
【００１０】
しかしながら、特許文献１に記載された測定装置では、アンテナ２２及びガイドパイプ２６、反射板２３がスリーブ１３の下方に配置されているため、スリーブ１３の下端とコークス炉１００との離間距離によっては、これらを設置できない場合がある。また、装炭時と測定時とで反射板２３を装炭口１０２の直上から移動させなければならず、反射板移動手段が別途必要になる。
【００１１】
また、反射板２３及びアンテナ２２が装炭口１０２に接近しているため、測定時にコークス炉１００からの粉塵が反射板２３の反射面２３ａ及びアンテナ２２のアンテナ面に付着し、測定精度に悪影響を及ぼすおそれもある。
【００１２】
そこで本発明は、コークス炉の装炭レベル測定装置において、石炭投入シュートのスリーブとコークス炉との離間距離に関係なく設置でき、反射板の移動手段も不要であり、更にはコークス炉からの粉塵や熱の影響を防ぐことを目的とする。
【課題を解決するための手段】
【００１３】
本発明は、上記の目的を達成するために下記のコークス炉の装炭レベル測定装置を提供する。
（１）装炭車の受炭ホッパーから給炭装置により石炭投入シュートに送られ、前記石炭投入シュートを通じてコークス炉内に供給された石炭の表面に、ミリ波またはマイクロ波を送信し、石炭の表面で反射されたミリ波またはマイクロ波の反射波を受信して装炭レベルを測定するために、装炭車の内部に設置される装置であって、
前記石炭投入シュートの中心軸よりも前記給炭装置とは反対側の位置にて、ミリ波又はマイクロ波による送受信を行うとともに、
前記給炭装置からの給炭量を少なくして、前記石炭投入シュートの中心軸よりも該給炭装置とは反対側に前記石炭が落下しない領域、または落下量が少ない領域を形成し、前記領域を通じて前記送受信を行って装炭レベルを測定する
ことを特徴とするコークス炉の装炭レベル測定装置。
（２）前記給炭装置からの給炭量を装炭作業の後半で少なくし、装炭作業の後半から終了までの期間内に装炭レベルを測定する
ことを特徴とする上記（１）記載のコークス炉の装炭レベル測定装置。
（３）前記石炭投入シュートの天井面の、該石炭投入シュートの中心軸よりも前記給炭装置とは反対側に開口を設けるとともに、
前記開口と、ミリ波またはマイクロ波の送受信手段とをガイドパイプで連結した
ことを特徴とする上記（１）または（２）記載のコークス炉の装炭レベル測定装置。
（４）少なくとも測定時に前記ガイドパイプ内にパージ用ガスを供給することを特徴とする上記（３）記載のコークス炉の装炭レベル測定装置。
（５）前記石炭投入シュートの前記開口を塞いで防塵・防熱フィルタが取り付けられており、前記防塵・防熱フィルタに前記ガイドパイプが連結されるとともに、
前記防塵・防熱フィルタが、前記石炭投入シュート側から順に、ミリ波またはマイクロ波を透過する耐熱材料からなる通気性のフィルタと、ミリ波またはマイクロ波を透過する耐熱材料からなる非通気性の断熱板とを離間させて配置して枠体で包囲してなり、前記フィルタと前記断熱板との間の空間にパージ用ガスが供給されることを特徴とする上記（４）記載のコークス炉の装炭レベル測定装置。
（６）前記ガイドパイプが、Ｌ字管で、その９０°屈曲部に第１の反射板を備えており、
一端に前記送受信手段のアンテナを収容し、
他端に前記第１の反射板の反射面及び前記石炭投入シュートの前記開口の両方と対向する第２の反射板を備えることを特徴とする上記（３）〜（５）の何れか１項に記載のコークス炉の装炭レベル測定装置。
（７）前記防塵・防熱フィルタのフィルタが、ミリ波またはマイクロ波を透過する耐熱材料からなる繊維を平面状に織って通気性を持たせた面状織物フィルタ、または前記繊維を袋状に加工した通気性を持たせた袋状織物フィルタであることを特徴とする上記（５）記載のコークス炉の装炭レベル測定装置。
（８）ミリ波またはマイクロ波の回転波を使用することを特徴とする上記（１）〜（７）の何れか１項に記載のコークス炉の装炭レベル測定装置。
（９）装炭レベルを装炭中に測定し、最適レベルに達した時に装炭を停止する信号を出力することを特徴とする上記（１）〜（８）の何れか１項に記載のコークス炉の装炭レベル測定装置。
【発明の効果】
【００１４】
本発明の装炭レベル測定装置では、石炭投入シュートの中心軸よりも給炭装置とは反対側の位置にて送受信を行うとともに、給炭装置からの給炭量を少なくして石炭投入シュートの中心軸よりも給炭装置とは反対側に石炭が落下しない領域、または落下量が少ない領域を形成し、この領域を通じて送受信を行うことより、給炭装置から供給され、落下している石炭による反射の影響を受けることなく装炭レベルを測定することができる。また、送受信手段と石炭投入シュートの天井面の開口とをガイドパイプで連結し、装置全体を装炭車内に収容したため、石炭投入シュートのスリーブとコークス炉との離間距離に関係なく設置することができ、更には測定時と装炭時とで反射板をコークス炉の装炭口の直上に移動したり、装炭口から離す必要がなく、反射板の移動手段が不要になる。しかも、装炭中に装炭レベルを測定することもできる。更に、ガイドパイプ内にパージ用ガスを供給するため、粉塵の侵入を防ぐこともでき、装炭車の石炭投入シュートの天井面に防塵・防熱フィルタを設けることにより、炉内からの熱を遮断でき、粉塵の侵入をより防ぐことができ、送受信がより良好になる。
【図面の簡単な説明】
【００１５】
【図１】本発明の装炭レベル測定装置の基本構成を示す断面図である。
【図２】防塵・防熱フィルタを示す断面図である。
【図３】防塵・防熱フィルタの他の例（袋状織物フィルタ）を示す断面図である。
【図４】ガイドパイプとしてＬ字管を用いた装炭レベル測定装置を示す断面図である。
【図５】本発明の装炭レベル測定装置の一例を示す断面図である。
【図６】スイープによるビート波から装炭レベルを求める方法を説明するための模式図である。
【図７】特許文献１の装炭レベル測定装置を示す断面図である。
【発明を実施するための形態】
【００１６】
以下、本発明に関して図面を参照して詳細に説明する。
【００１７】
本発明の装炭レベル測定装置の基本構成を図１に示すが、装置全体が一般的な装炭車１の内部に設置される。装炭車１は、図７にも示したように、外部から供給された石炭Ｃを貯留する受炭ホッパー１０と、受炭ホッパー１０の石炭Ｃを石炭投入シュート１１に送るための給炭装置１２とを備えている。尚、給炭装置１２は、スクリューフィーダーやテーブルフィーダー等が一般的である。また、石炭投入シュート１１の下方端部には、下端が内方に狭窄してコークス炉１００の装炭口１０２の口径に合わせたスリーブ１３が外装されていてもよい。そして、装炭車１は、コークス炉１００の上面に固定されたレール１０１に沿って、例えば図示されるように紙面の前後方向に移動する。
【００１８】
石炭投入シュート１１の天井面１１ａの中央部分には開口１１ｂが形成されており、開口１１ｂにガイドパイプ４０の一端が取り付けられている。また、ガイドパイプ４０の他端には、送受信手段２０のアンテナ２２が取り付けられている。尚、ガイドパイプ４０は、図の例では開口１１ｂから直上に延びる直管であるが、屈曲部に反射板を設置したＬ字管でもよい（図４参照）。
【００１９】
更に、ガイドパイプ４０の側壁には、アンテナ２２の付近にガス供給口３５が設けられており、窒素ガスや空気等のパージ用ガスが供給される。ガス供給口３５のガイドパイプ内の突出口（図示せず）は、ガイドパイプ４０の内壁に向けて、かつ、石炭投入シュート１１の開口１１ｂに向けて下方に傾斜して形成されることが好ましく、これにより、図示されるように、パージ用ガスがガイドパイプ４０の内壁に沿って石炭投入シュート１１の開口１１ｂに向かって螺旋状に旋回して流れ、開口１１ｂから排出されるため、防塵効果が高まる。
【００２０】
尚、図示は省略するが、送受信手段２０はコントローラ（図７の符号２４）により、ミリ波またはマイクロ波の送受信の制御、受信信号の処理等を行う。また、送受信手段２０とコントローラはユニット化されていてもよい。
【００２１】
このように構成される装炭レベル装置では、測定時には、図中の矢印で示されるように、送受信手段２０からのミリ波またはマイクロ波は、アンテナ２２から送信されてガイドパイプ４０を伝搬して石炭投入シュート１１、スリーブ１３へと進み、装炭口１０２を通ってコークス炉１００の内部へと進む。そして、炉内に堆積している石炭Ｃ´の表面で反射されたミリ波またはマイクロ波は、これまでとは逆の経路を経て送受信手段２０で受信される。そして、コントローラにて、ミリ波またはマイクロ波の送受信の時間差に基づいて石炭Ｃ´の堆積レベルが算出される。また、少なくとも測定時に、好ましくは常時、パージ用ガスを供給することにより、ガイドパイプ４０の内部への粉塵侵入が防止されるため、良好な送受信が行われる。
【００２２】
また、送受信手段２０、アンテナ２２及びガイドパイプ４０が、装炭車１の内部に収容されているため、石炭投入シュート１１のスリーブ１３とコークス炉１００との離間距離に関係なく設置でき、更には特許文献１のように反射板２３（図７参照）を移動する必要もない。
【００２３】
また、図２に示すように、開口１１ｂを塞いで防塵・防熱フィルタ３０を取り付けてもよい。防塵・防熱フィルタ３０は、耐熱材料からなり、ミリ波またはマイクロ波を透過し、気体を透過しない非通気性の断熱板３１と、断熱材料からなり、ミリ波またはマイクロ波を透過する板材の全面に貫通孔３２ａを多数形成して通気性を持たせたフィルタ板３２とを離間させ、枠体３３で包囲したものである。断熱板３１及びフィルタ板３２は、例えばセラミック製とすることができる。
【００２４】
また、枠体３３には、断熱板３１とフィルタ板３２との間の空間Ｓにパージ用ガスを供給するためのガス供給口３５が付設されている。尚、枠体３３の内壁に隔壁３６を設けるとともに、隔壁３６にフィルタ板側に傾斜している突出口３７を形成してもよい。これにより、ガス供給口３５からのパージ用ガスが効率よくフィルタ板３２へと供給され、貫通孔３２ａを通じて開口１１ｂへと流出させることにより、粉塵の侵入を防ぐことができる。
【００２５】
この防塵・防熱フィルタ３０は、フィルタ板３２が石炭投入シュート側になるように、開口１１ｂに気密に装着される。
【００２６】
ところで、上記したフィルタ板３２はセラミック板のような剛体であることから、パージ用ガスを枠体内に供給して貫通孔３２ａから流出させても、フィルタ板３２が振動することは無い。そのため、石炭投入シュート側の面の貫通孔以外の部分（図中ハッチング部分の下面）に付着した粉塵は、貫通孔３２ａからパージ用ガスを流出させても取り除くことが困難になる。粉塵の付着量が多くなりすぎると、ミリ波またはマイクロ波の送受信に影響するため、防塵・防熱フィルタ３０を石炭投入シュート１１から取り外し、付着した粉塵を取り除く作業が必要になる。
【００２７】
そこで、フィルタ板３２の代わりに、ミリ波またはマイクロ波を透過する耐熱材料からなる繊維、例えばセラミック繊維を平面状に織って通気性を持たせた織物（面状織物フィルタ）を枠体３３に張設してもよい。この面状織物フィルタは軟質で、可撓性を有するため、パージ用ガスを枠体内に供給したときや、パージ用ガスが繊維間の隙間（貫通孔３２ａに相当）を通って流出するときに振動し、付着した粉塵を振るい落すことができる。尚、ミリ波またはマイクロ波を透過するセラミック繊維として、例えば宇部興産（株）製の「チラノ繊維」を用いることができる。このチラノ繊維は、シリコン、チタン、ジルコニウム、炭素及び酸素からなるセラミック繊維であり、これを織った織物は、耐熱性及び通気性を有する可撓性部材となる。
【００２８】
また、より大きく振動させて粉塵の振るい落し効果を高めるために図３に示すように、上記の織物を袋状にした袋状織物フィルタ３２Ａを、自重により石炭投入シュータ側に垂下するように枠体３３に取り付けてもよい。但し、図示されるように、給炭装置１２からの石炭Ｃが袋状織物フィルタ３２Ａに当たらないように、袋状織物フィルタ３２Ａの下端が給炭装置１２の開口１２ａよりも上方になるようにする。尚、袋状織物フィルタ３２Ａはミリ波やマイクロ波を透過する繊維材料からなるため、湾曲していてもミリ波やマイクロ波の送受信には何ら影響しない。
【００２９】
更に、ガイドパイプ４０を、図４に示すようにＬ字管にすることもできる。このＬ字管からなるガイドパイプ４０Ａは、９０°屈曲部に第１の反射板４１を備えており、一方の端部に送受信手段２０が接続されており、他方の端部に第２の反射板４２を備えている。尚、他方の端部は、図示されるように、防塵・防熱フィルタ３０に取り付けられていることが好ましいが、石炭投入シュート１１の開口１１ｂに直接取り付けてもよい。第１の反射板４１及び第２の反射板４２は共に４５°反射板であり、第1の反射板４１の反射面は送受信手段２０及び第２の反射板４２の反射面を向くように４５°上方に傾斜しており、第２の反射板４２は第１の反射板４１の反射面及び石炭投入シュート１１を向くように４５°下方に傾斜している。
【００３０】
また、ガイドパイプ４０Ａにおいて、送受信手段２０と第１の反射板４１とを結ぶ直管部４０ａには、送受信手段２０に接続するアンテナ２２が収容されている。また、第１の反射板４１と第２の反射板４２とは水平管部４０ｂで連結されている。更に、第２の反射板４２には石炭投入シュート１１に向かう垂下部４０ｃが付設されており、垂下部４０ｃが開口１１ｂまたは防塵・防熱フィルタ３０に連結して固定されている。
【００３１】
ガイドパイプ４０Ａでは、送受信手段２０（及びコントローラ）を高温のコークス炉１００から離間させることができる。尚、送受信手段２０をコークス炉１００からより離間させるために、反射板の枚数を増やす等してガイドパイプ４０Ａを長くすることもできる。
【００３２】
ガイドパイプ４０Ａでも、アンテナ２２及びガイドパイプ４０が、装炭車１の内部に収容されているため、石炭投入シュート１１のスリーブ１３とコークス炉１００との離間距離に関係なく設置でき、更には特許文献１のように反射板２３（図７参照）を移動する必要もない。
【００３３】
そして、測定時には、図中に矢印で示すように、送受信手段２０からのミリ波またはマイクロ波は、アンテナ２２から送信されてガイドパイプ４０Ａの直管部４０ａを伝搬して第１の反射板４１で反射された後、水平管部４０ｂを伝播して第２の反射板４２で再度反射され、その後、垂下部４０ｃを伝搬し、石炭投入シュート１１の開口１１ｂまたは防塵・防熱フィルタ３０を透過して石炭投入シュート１１へと進行する。次いで、石炭投入シュート１１からコークス炉１００の装炭口１０２を通じて炉内へと進み、コークス炉内に堆積している石炭Ｃ´の表面で反射されたミリ波またはマイクロ波は、これまでとは逆の経路を経て送受信手段２０で受信される。そして、コントローラにて、ミリ波またはマイクロ波の送受信の時間差に基づいて石炭Ｃ´の堆積レベルが算出される。
【００３４】
ところで、炉内の石炭Ｃ´で反射されたミリ波またはマイクロ波は、装炭口１０２の壁面１０２ａや石炭投入シュート１１の内壁で更に反射されて第２の反射板４２に入射し、送受信手段２０で受信されることがある（図１及び図４のＲ´）。このような不要波が受信されると、本来の装炭レベルとは異なる位置にピークとなって現れる。そこで、電界が時計回りまたは反時計回りの一方向に回転する回転波を用いることが好ましい。この回転波は、反射により回転方向が反転する性質があるため、石炭Ｃ´の表面のみで反射されたミリ波またはマイクロ波（Ｒ）と、装炭口１０２の壁面１０２ａや、石炭投入シュート１１の内壁で更に反射されたミリ波またはマイクロ波（Ｒ´）とでは、反射の回数が異なるため、受信したミリ波またはマイクロ波を電界の回転方向で区別することができる。
【００３５】
即ち、例えば時計回りの回転波を送信すると、第１の反射板４１及び第２の反射板４２で２回反射されて時計回りの回転波となって石炭Ｃ´に入射する。そして、石炭Ｃ´の表面で反射されて反時計回りの回転波となり、第２の反射板４２及び第１の反射板４１で反射されて反時計回りの回転波となって受信される。一方、例えば石炭投入シュート１１の内壁で反射された場合には、石炭Ｃ´の表面で反射された反時計回りの回転波が石炭投入シュート１１の内壁で反射された際に時計回りの回転波となり、第２の反射板４２及び第１の反射板４１で反射されて時計回りの回転波となって受信される。従って、反時計回りの回転波のみを受信することにより、石炭投入シュート１１の内壁で反射された回転波（Ｒ´）を排除することができ、正確な装炭レベルを検出することができる。
【００３６】
尚、回転波を生成するには、公知の方法で構わず、例えば送受信手段２０とアンテナ２２とを接続する導波管内に誘電材料からなる９０°位相板を装着すればよい。
【００３７】
また、検出媒体としてミリ波を使用することが好ましい。図示されるように、炉内に投入された石炭Ｃは通常、装炭口１０２の中心の直下付近を頂点とする円錐状に堆積し、装炭直後の石炭Ｃ´の表面は全体として凹凸面になる。そして、マイクロ波またはミリ波は、装炭口１０２の中心を軸線として入射するため、マイクロ波またはミリ波は石炭Ｃ´の円錐の傾斜面に入射し、反射される。マイクロ波は散乱角度が狭いため、傾斜面で反射されると、図中の水平方向や、斜め上方または斜め下方への反射波が主となり、ガイドパイプ４０や送受信手段２０が設置されている直上方向への反射波が少なくなるため、送受信を良好に行うことが困難になる。そのため、装炭後にレベラーを用いて石炭Ｃ´の表面を平坦化してから装炭レベルを測定している。
【００３８】
これに対しミリ波は、マイクロ波に比べて散乱角度が大きいため、傾斜面で反射しても、種々の方向に反射して直上方向への反射波がマイクロ波を用いた場合よりも多くなり、受信を良好に行うことができるようになる。そのため、装炭直後にレベリング作業をすることなく装炭レベルを測定することができる。但し、測定した装炭レベルは、円錐状の頂点付近の装炭レベルであり、平坦化した装炭レベルとは異なる。そこで、測定した装炭レベルを円錐の頂点と見做し、その円錐の体積を算出して個々の円錐状に堆積した石炭Ｃ´の装炭量を求め、凹部を埋めて平坦化した場合を想定して装炭レベルを推定する。また、装炭後にレベラーを用いて石炭Ｃ´の表面を平坦化してから装炭レベルを測定し、推定した装炭量が正しいか否かを確認することもできる。
【００３９】
また、ミリ波は、マイクロ波に比べてアンテナ２２の口径並びにガイドパイプ４０の口径を小さくすることができ、それに伴って防塵・防熱フィルタ３０も小型化して空間Ｓも小容量になり、パージ用ガスがより効率的に作用して防塵効果がより高まる。
【００４０】
更に、ミリ波は、マイクロ波に比べてビーム径を小さくすることもできる。図５（ここでは、図４の構成に従って示す。）に示すように、防塵・防熱フィルタ３０を、石炭投入シュート１１の中心軸Ｏよりも給炭装置１２の開口１２ａとは反対側（図中右側）にずらして取り付け、上記と同様にしてミリ波を伝搬させる。それによりミリ波は、石炭投入シュート１１の中心軸Ｏではなく、給炭装置１２の開口１２ａとは反対側の空間を通ってコークス炉１００へと進む。装炭作業中、通常は、石炭Ｃは石炭投入シュート１１の内部全体を落下するが、給炭装置１２からの石炭供給量を少なくすることにより、石炭投入シュート１１の中心軸Ｏよりも開口１２ａとは反対側に、石炭Ｃが落下しない、もしくは落下量が少ない領域ができる。そこで、ミリ波を用い、給炭装置１２からの石炭供給量を装炭作業の後半または終了近くに少なくすることで、落下している石炭Ｃによる反射の影響を受けることなく装炭レベルを測定することができる。
【００４１】
尚、図５に示すように、防塵・防熱フィルタ３０を、石炭投入シュート１１の中心軸Ｏからずらして取り付ける構成は、石炭投入シュート１１の径を広げることによりマイクロ波でも可能になる。
【００４２】
装炭レベルは通常、装炭作業が完了した後に行われるが、このように装炭作業と同時に装炭レベルを測定することができれば、装炭レベルの調整を迅速に行うことが可能になる。
【００４３】
また、装炭作業と同時に装炭レベルを測定する方法として、装炭中にスイープを複数回行い、スイープ毎に、落下している石炭による反射波とのビート波を生成し、スイープ終了までの全てのビート波を合算して得たスペクトルから装炭レベルと求めることもできる。尚、この場合は、検出媒体としてミリ波及びマイクロ波の両方を用いることができる。
【００４４】
落下している石炭Ｃにミリ波またはマイクロ波を照射するとともに、スイープを複数回行うと、各スイープ毎に反射波とのビート波が生成するが、各スイープで生成したビート波は他のスイープで生成したビート波とは互いに位相が異なったものとなる。そのため、スイープ毎に生成した各ビート波を合算すると、種々の位相のビート波が重なり合い、全体として振幅が殆ど変らなくなる。一方、装炭口１０２の直下では、落下する石炭Ｃが堆積を続けるため、この位置で反射される反射波は、スイープの回数が変わっても同じ位相のビート波が生成する。そのため、この位置でのビート波を合算すると、スイープの回数だけ振幅が増していく。このことは、ＦＥＴ処理した後も等価である。
【００４５】
即ち、図６に示すように、スイープ１回目のビート波（同図（ａ））と、スイープｎ回目のビート波（同図（ｂ）とで、ピーク位置（位相）が若干異なるものの、振幅がほぼ同じプロファイルが得られている。そして、スイープ終了までの全てのビート波を合算すると、同図（ｃ）に示すように、落下している石炭Ｃからの受信強度がスイープ１回目やｎ回目とほぼ同じレベルであるのに対し、装炭口１０２の直下で堆積を続けている石炭によるビード波では振幅が加算されて大きなピークＡとなって現れている。そこで、この大きなピークＡに検出することにより、装炭と同時に装炭レベルを検出することができる。
【符号の説明】
【００４６】
１  装炭車
１０  受炭ホッパー
１１  石炭投入シュート
１２  給炭装置
２０  送受信手段
２２  アンテナ
３０  防塵・防熱フィルタ
３１  断熱板
３２  フィルタ板
３２Ａ  袋状織物フィルタ
３３  枠体
３５  ガス供給口
４０  ガイドパイプ
４０Ａ  ガイドパイプ
４１  第１の反射板
４２  第２の反射板
１００  コークス炉
１０１  レール
１０２  装炭口
Ｃ、Ｃ´  石炭
【図１】
2019104922.tif 000003
【図２】
2019104922.tif 000004
【図３】
2019104922.tif 000005
【図４】
2019104922.tif 000006
【図５】
2019104922.tif 000007
【図６】
2019104922.tif 000008
【図７】
2019104922.tif 000009